(57)【要約】【課題】  ボトルの内圧に対して当該ボトルとキャップの係合部に高い抵抗力をもたせたキャップ付き容器を提供する。【解決手段】  本願のキャップ付き容器２は、一方の端部に開口部５ａ、６を有し、他方の端部が塞がれた内容物を収容するための容器本体５と、容器本体５の開口部５ａ、６に栓をするためのキャップ１０と、を備え、容器本体５の開口部５ａ、６の一部にはネジ山７が形成され、キャップ１０がネジ山７と係合して容器本体５を密閉するキャップ付き容器２であって、ネジ山７はネジ山７の頂点から一方の端部側に傾斜して形成される第１の傾斜線７ａとネジ山７の頂点から他方の端部側に傾斜して形成される第２の傾斜線７ｂとを有し、ネジ山７の頂点から容器本体５の軸線に対して直交する基線ｌと第２の傾斜線７ｂとにより形成される傾斜角度Ｂが基線ｌと前記第１の傾斜線７ａとにより形成される傾斜角度Ａよりも小さい。【選択図】  図２
2005193950.tif 000002
【特許請求の範囲】
【請求項１】
一方の端部に開口部を有し、他方の端部が塞がれた、内容物を収容するための容器本体と、前記容器本体の開口部に栓をするためのキャップと、を備え、前記容器本体の開口部の一部にはネジ山が形成され、前記キャップが前記ネジ山と係合して前記容器本体を密閉するキャップ付き容器であって、
前記ネジ山はネジ山の頂点から前記一方の端部側に傾斜して形成される第１の傾斜線とネジ山の頂点から前記他方の端部側に傾斜して形成される第２の傾斜線とを有し、
前記ネジ山の頂点から前記容器本体の軸線に対して直交する基線と前記第２の傾斜線とにより形成される傾斜角度が前記基線と前記第１の傾斜線とにより形成される傾斜角度よりも小さいことを特徴とするキャップ付き容器。
【請求項２】
前記ネジ山は、容器本体の開口部の外側に形成されていることを特徴とするキャップ付き容器。
【発明の詳細な説明】
【技術分野】
【０００１】
本願は、例えば飲料水等の内容物を収容するためのキャップ付き容器に関する。
【背景技術】
【０００２】
通常、上記飲料水等を収容している容器は、飲料水を収容するためのボトルと、当該ボトルに栓をするためのキャップと、から構成される。ボトルには、上部に飲料水を注水又は出水するための開口を備え、当該開口をキャップによって塞ぎ、飲料水が出水するのを防止している。このボトルの開口部の外周にはキャップと係合するためのネジ山が設けられ、キャップの内側にも当該ネジ山に対応するようにネジ山が設けられ、キャップのネジ山を当該ボトルのネジ山に係合させ、キャップを締め付け方向に回転させて、ネジ止めすることにより、ボトルにキャップを取り付ける。
【０００３】
また、図３に示すように、ボトル３１、及びキャップ３２に形成されているネジ山３３、３４は、ネジ山３３、３４の頂点を基点として、上方と下方に傾斜部３３ａ、３３ｂ、３４ａ、３４ｂを有する。ここで、ネジ山３３、３４の上方に形成されている傾斜部３３ａ、３４ａの傾斜角度を傾斜角度Ａで表し、ネジ山３３、３４の下方に形成されている傾斜部３３ｂ、３４ｂの傾斜角度を傾斜角度Ｂで表すと、ネジ山３３、３４は、傾斜角度Ａと傾斜角度Ｂとが同じであるか、若しくは傾斜角度Ｂが傾斜角度Ａより大きくなるように形成されている。
【発明の開示】
【発明が解決しようとする課題】
【０００４】
しかしながら、このような従来のボトルとキャップのネジ山構造では、例えば、ボトル内部の圧力Ｆが増加した場合に、キャップのネジ山への負荷が増し、所定の負荷を越えた場合に、当該キャップが上方に飛び出すキャップ飛び現象がおきるという問題があった。
【０００５】
そこで、本願は上記問題点の解決を課題の一例として為されたもので、ボトルの内圧に対して当該ボトルとキャップの係合部に高い抵抗力をもたせた容器を提供することを目的とする。
【課題を解決するための手段】
【０００６】
上記課題を解決するために、本願のキャップ付き容器（２）は、一方の端部に開口部（５ａ、６）を有し、他方の端部が塞がれた内容物を収容するための容器本体（５）と、前記容器本体の開口部に栓をするためのキャップ（１０）と、を備え、前記容器本体の開口部の一部にはネジ山（７）が形成され、前記キャップが前記ネジ山と係合して前記容器本体を密閉するキャップ付き容器であって、前記ネジ山はネジ山の頂点から前記一方の端部側に傾斜して形成される第１の傾斜線（７ａ）とネジ山の頂点から前記他方の端部側に傾斜して形成される第２の傾斜線（７ｂ）とを有し、前記ネジ山の頂点から前記容器本体の軸線に対して直交する基線（ｌ）と前記第２の傾斜線とにより形成される傾斜角度（Ｂ）が前記基線と前記第１の傾斜線とにより形成される傾斜角度（Ａ）よりも小さいことを特徴とする。また、前記ネジ山は、容器本体の開口部の外側に形成される。
【発明を実施するための最良の形態】
【０００７】
以下、本願の最良の実施形態について、図１、及び図２を用いて詳細に説明する。図１は本実施形態に係る容器の概要構成図、図２は図１のＡ拡大図である。なお、以下に説明する実施の形態は、飲料水等の内容物を収容するアルミ製の缶容器に対して本願を適用した場合の実施形態である。なお、本発明において「缶容器」を一例として説明するが、本発明は後述するネジ山構造を含むものであればこれに限定されない。すなわち、本発明は缶容器に限られず、例えば、スチール製の飲料ボトル等に対しても適用が可能なものである。また、理解し易いように、図中上下左右を容器の上下左右として表現するがこれに限定されるものではない。
【０００８】
図１に示すように、容器２は、開口５ａを有する円筒形のボトル５と、当該開口５ａに栓をしてボトル５を密閉するためのキャップ１０と、を備える。また、ボトル５とキャップ１０はアルミを適切に成型して形成されている。なお、このボトル５は本発明の容器本体として例示される。
【０００９】
また、ボトル５は、図示しない円形状の底体と当該底体の外周から上方に垂設して形成された側体と、から構成される。側体は、上方において、内側に絞り込まれて形成され、円筒状のネック部６を有する。また、ネック部６の端部には、開口５ａを有する。当該開口５ａはボトル５内部と連通する。さらに、当該ネック部６の上方外周にはネジ山７が形成される。ネジ山７は、ボトル５の軸線に沿って螺旋状に形成される。なお、この開口５ａを有するネック部６は本発明の開口部として例示される。
【００１０】
キャップ１０は、円形状の基体１１と、当該基体１１の外周から下方に垂設して形成された側体１２と、から構成される。また、側体１２の端部は開口を有する。さらに、当該側体１２の下方内側にはネジ山１３が形成される。当該ネジ山１３はボトル５に形成されているネジ山７に対応してキャップの軸線に沿って螺旋状に形成される。よって、ボトル５に形成されているネジ山７は、所定の締め付け方向にキャップ１０を回転させる際に、キャップ１０のネジ山１３と係合する。これにより、ボトル５にキャップ１０が取り付けられる。
【００１１】
また、図２に示すように、ボトル５、及びキャップ１０に形成されているネジ山７、１３は、ネジ山７、１３の頂点を基点として、上方と下方に傾斜線７ａ、７ｂ、１３ａ、１３ｂを有する。ここで、ネジ山７、１３の頂点からボトル５の軸線に対して直交する線（以下、「基線ｌ」と称する。）とネジ山７、１３の頂点より上側に形成されている傾斜線７ａ、１３ａ（以下、「上側傾斜線」と称する。）とにより形成される傾斜角度を傾斜角度Ａで表し、基線ｌとネジ山７、１３の頂点より下側に形成されている傾斜線７ｂ、１３ｂ（以下、「下側傾斜線」）とにより形成される傾斜角度を傾斜角度Ｂで表す。
【００１２】
ネジ山７、１３は傾斜角度Ｂが傾斜角度Ａより小さくなるように形成される。具体的には、傾斜角度Ｂは、０度〜４０度程度であることが好ましい。また、この傾斜角度Ｂは、内容物、ボトルやキャップの材質、大きさ等により適切な角度が適用される。
【００１３】
このように傾斜角度Ｂを小さくした為に、何らかの要因によりボトル５内部の圧力（内圧Ｆ）が増加した場合に、キャップ１０がボトル５のネジ山７を越えてキャップ飛びが発生するために必要な抵抗力を増すことができるためキャップ飛びが発生しにくくなる。
【００１４】
また、傾斜角度Ｂが傾斜角度Ａより小さくなるようなネジ山構造としたため、図２に示すように、従来と比較して、ボトル５とキャップ１０の係合部における接触面積を小さくできるため、回転トルクによる摩擦係数は小さくなる。よって、回栓するためのトルクの軽減を図れる。
【００１５】
なお、本実施形態においては、ネジ山７、１３はボトル５のネック部６の外周とキャップ１０の側体１２の内周に形成し、ボトル５のネック部６の外周においてキャップ１０のネジ山１３を係合しているが、ボトル５のネック部６の内周とキャップ１０の側体１２の外周にネジ山７、１３を形成し、ボトル５の内部においてキャップ１０のネジ山１３を係合するようにしてもよい。
【００１６】
以上に説明したように、本願のキャップ付き容器２は、一方の端部に開口５ａを有するネック部６を有し、他方の端部が塞がれた飲料物等の内容物を収容するためのボトル５と、ボトル５の開口５ａに栓をするためのキャップ１０と、を備え、ボトル５のネック部６の外周にはボトル５の軸線に沿って螺旋状にネジ山７が形成され、キャップ１０がネジ山７と係合してボトル５を密閉するキャップ付き容器２であって、ネジ山７はネジ山７の頂点から一方の端部側に傾斜して形成される上側傾斜線とネジ山７の頂点から他方の端部側に傾斜して形成される下側傾斜線とを有し、ネジ山７の頂点からボトル５の軸線に対して直交する基線ｌと下側傾斜線とにより形成される傾斜角度Ｂが基線ｌと上側傾斜線とにより形成される傾斜角度Ａよりも小さい。また、前記ネジ山７は、ボトル５のネック部６の上方外周に形成されている。
【００１７】
このように傾斜角度Ｂを小さくした為に、何らかの要因によりボトル５内部の圧力（内圧Ｆ）が増加した場合に、キャップ１０がボトル５のネジ山７を越えてキャップ飛びが発生するために必要な抵抗力を増すことができるためキャップ飛びが発生しにくくなる。また、ボトルとキャップとの係合部の接触面積を小さくできるため、回転トルクによる摩擦係数は小さくなり、キャップを簡単に回すことができる
【図面の簡単な説明】
【００１８】
【図１】本実施形態に係る容器の概要構成図である。
【図２】図１のＡ拡大図である。
【図３】従来の容器のボトルとキャップの係合部拡大図である。
【符号の説明】
【００１９】
２  容器
５  ボトル
５ａ  開口
６  ネック部
７、１３  ネジ山
１０  キャップ
Ａ、Ｂ  傾斜角度
【図１】
2005193950.tif 000003
【図２】
2005193950.tif 000004
【図３】
2005193950.tif 000005